(57)【要約】【課題】スルー画を表示しているときに撮影動作のためにコントラストＡＦ動作の開始によりコントラストＡＦモードに切り替わってもコントラストＡＦ用のデジタル画像データの明るさをスルー画表示の画像の明るさと比較して変動させないこと。【解決手段】スルー画表示モードからコントラストＡＦモードに移行したときに、スルー画表示時のデジタル画像データとコントラストＡＦ用のデジタル画像データとの差分である輝度変化量を求め、この輝度変化量に基づいて画像表示部に表示するコントラストＡＦ用のデジタル画像データを補正する。【選択図】図１
2010068046.tif 000002
【特許請求の範囲】
【請求項１】
被写体像を撮像してデジタル画像データを出力する撮像部と、
前記撮像部の露出条件を設定するＡＥ制御部と、
前記撮像部で得られた前記デジタル画像データをスルー画として表示するための画像表示部と、
前記撮影部で得られた前記デジタル画像データからＡＦ評価値を検出するためのＡＦ処理部と、
前記撮像部で得られた前記デジタル画像データより前記撮像部の露出条件の変化に伴う画像の輝度変化量を検出する輝度変化検出部と、
前記輝度変化検出部によって検出された前記輝度変化量に基づいて前記画像表示部に表示する画像を補正する画像補正部と、
を具備し、
前記ＡＦ評価値の検出を行わない場合、前記ＡＥ制御部は、前記スルー画表示用の露出条件を設定して前記撮像部に撮像を行わせて前記画像表示部に表示し、
前記ＡＦ評価値の検出を行う場合、前記ＡＥ制御部は、前記ＡＦ処理部の検出用の露出条件を設定して前記撮像部に撮像を行わせると共に、前記画像補正部は、前記輝度変化検出部の検出する前記輝度変化量に基づいて前記デジタル画像データを補正して前記画像表示部に表示させる、
ことを特徴とする撮像装置。
【請求項２】
前記輝度変化検出部は、前記デジタル画像データより撮影画面の輝度分布パターンを検出し、該輝度パターンに基づいて輝度変化量を検出することを特徴とする請求項１記載の撮像装置。
【請求項３】
前記輝度変化検出部は、前記スルー画表示モードからコントラストＡＦモードに移行したときに、前記スルー画表示時の前記デジタル画像データと前記コントラストＡＦモード時の前記デジタル画像データと差分から前記露出条件の変化に伴う前記輝度変化量を検出することを特徴とする請求項１記載の撮像装置。
【請求項４】
前記輝度変化検出部により検出された前記輝度変化量が小さい適正露出時であれば、
前記画像補正部は、前記スルー画表示時と前記コントラストＡＦモード時とで変わらないγカーブを有する入力データ出力特性に従って前記デジタル画像データを補正する、
ことを特徴とする請求項３記載の撮像装置。
【請求項５】
前記輝度変化検出部により検出された前記輝度変化量が露出アンダーになる条件の場合であれば、
前記画像補正部は、前記スルー画表示時よりも前記コントラストＡＦモード時の画像を明るくする入力データ出力特性を有するγカーブに従って前記デジタル画像データを補正する、
ことを特徴とする請求項３記載の撮像装置。
【請求項６】
前記輝度変化検出部により検出された前記輝度変化量が露出オーバーになる条件の場合であれば、
前記画像補正部は、前記スルー画表示時よりも前記コントラストＡＦ時の画像を暗くする入力データ出力特性を有するγカーブに従って前記デジタル画像データを補正する、
ことを特徴とする請求項３記載の撮像装置。
【請求項７】
前記輝度変化検出部は、所定の露出条件算出式に基づいて前記スルー画表示時の適正露出からの乖離量を検出し、当該乖離量に基づいて前記輝度変化量を検出することを特徴とする請求項１記載の撮像装置。
【請求項８】
前記輝度変化検出部により検出された前記乖離量が小さくて露出が適正状態であれば、
前記画像補正部は、前記デジタル画像データに対する補正を行わない、
ことを特徴とする請求項７記載の撮像装置。
【請求項９】
前記輝度変化検出部により検出された前記乖離量が露出オーバーになる条件の場合であれば、
前記画像補正部は、前記スルー画表示時よりも前記コントラストＡＦ時の画像を暗くする入力データ出力特性を有するγカーブに従って前記デジタル画像データを補正する、
ことを特徴とする請求項７記載の撮像装置。
【請求項１０】
前記輝度変化検出部により検出された前記乖離量が露出アンダーになる条件の場合であれば、
前記画像補正部は、前記スルー画表示時よりも前記コントラストＡＦモード時の画像を明るくする入力データ出力特性を有するγカーブに従って前記デジタル画像データを補正する、
ことを特徴とする請求項７記載の撮像装置。
【発明の詳細な説明】
【技術分野】
【０００１】
本発明は、例えばデジタル一眼レフレックスカメラに係り、特に撮影時のモニタ用として映像を表示するスルー画表示とコントラストＡＦ中に表示する映像との露出制御を切り換えたときのデジタル画像データに対して補正を行う撮像装置に関する。
【背景技術】
【０００２】
近年、デジタル一眼レフレックスカメラは、デジタルカメラと同様に、多機能、高画質化が進展している。これに伴いデジタル一眼レフレックスカメラに対しても光学ファインダーと同様に、撮影時の画角の視認や、微妙なフォーカス調整といった操作を表示装置に表示して行いたいという要求がある。この要求に対してデジタル一眼レフレックスカメラは、撮像素子上に結像している像を動画像の映像としてＬＣＤモニタやＥＶＦ等の表示装置に表示するスルー画表示機能、いわゆるライブビュー機能を備えたものが普及している。
【０００３】
スルー画表示機能は、通常、撮像素子により生成される電荷に対して定期的な間隔で画素間引き、或いは画素混合などの処理を行いながら読み出して画像信号を生成し、撮影における画角等を決定する為に、最終的にＬＣＤモニタやＥＶＦ等の表示装置に表示する。  
コントラストＡＦ機能は、ユーザがシャッターを半押しした状態のときに動作するもので、レンズのフォーカス位置を動かしながらスルー画を取得し、その画像からコントラスト評価値を算出し、このコントラスト評価値に基づいてフォーカス位置を検出する。  
これらスルー画表示機能とコントラストＡＦ機能とには、それぞれの動作に適した各露出制御があり、それぞれ異なった露出制御を行っている。露出制御に係る技術としては、例えば特許文献１、２がある。  
特許文献１は、露出制御のために固定測光モードと適応測光モードとを設け、スルー画表示の際に固定測光モードに設定して撮影画像の水平方向のコントラストに対して測光テーブルに基づいて重み付けを行って測光を行い、一方、記録用の撮影の際に適応測光モードに設定してＡＦエリアのコントラスト情報により検出された主要被写体の位置に応じて３つの測光テーブルを切替えて固定測光モードと同様の測光を行うことを開示している。これにより、特許文献１は、記録用の撮影の際に適正な露出状態の画像を取得できる。これと共に、特許文献１は、スルー画表示時に被写体が移動しているときなどの場合、被写体の位置の変化に従って露出条件が変化し、この露出条件の変化によりスルー画表示、すなわち連続的に被写体を表示するＬＣＤやＥＶＦ等の表示画面の明るさが変化したり、ちらつきが生じるのを防止し、安定した画像を表示できるようにしている。
【０００４】
特許文献２は、撮影環境の急激な変化に応じて常に適正露出を得ることができず、その結果として画像にとびやつぶれを生じてしまう場合があるので、制御目標となる露出をマニュアル操作により補正できるようにすることを開示する。又、特許文献２は、露出設定値に基づいてスルー画像の輝度レベルを修正し、輝度レベルが修正されたスルー画像において所定の輝度レベルとなる部分の表示態様を変化させることを開示している。
【特許文献１】特開２００１−２７２７１０号公報
【特許文献２】特開２００７−２０８３５６号公報
【発明の開示】
【発明が解決しようとする課題】
【０００５】
しかしながら、特許文献１は、スルー画表示時と記録用撮影時とでそれぞれ測光方法を変えてスルー画表示と記録用撮影とに適した各露出条件を算出しているが、スルー画表示時とコントラストＡＦ時の露出条件に関しては考慮されていない。  
特許文献２は、露出設定値に基づいてスルー画像の輝度レベルを修正して表示を行うようにしているが、スルー画表示時とコントラストＡＦ時とで露出条件を切り替えることについて考慮されていない。
【０００６】
本発明はかかる事情を鑑みてなされたもので、スルー画を表示しているときに撮影動作のためにコントラストＡＦ動作の開始により露出モードが切り替わった場合でも、被写体等をスルー表示する表示画面の輝度変化を抑制し、コントラストＡＦ時のスルー画の見栄え、視認性の低下を防止し、コントラストＡＦ時でも高品位なスルー画を表示できる高価格化や複雑化を招くことがない撮像装置を提供することを目的とする。
【課題を解決するための手段】
【０００７】
本発明の主要な局面に係る撮像装置は、被写体像を撮像してデジタル画像データを出力する撮像部と、撮像部の露出条件を設定するＡＥ制御部と、撮像部で得られたデジタル画像データをスルー画として表示するための画像表示部と、撮影部で得られたデジタル画像データからＡＦ評価値を検出するためのＡＦ処理部と、撮像部で得られたデジタル画像データより撮像部の露出条件の変化に伴う画像の輝度変化量を検出する輝度変化検出部と、輝度変化検出部によって検出された輝度変化量に基づいて画像表示部に表示する画像を補正する画像補正部とを具備し、ＡＦ評価値の検出を行わない場合、ＡＥ制御部は、スルー画表示用の露出条件を設定して撮像部に撮像を行わせて画像表示部に表示し、ＡＦ評価値の検出を行う場合、ＡＥ制御部は、ＡＦ処理部の検出用の露出条件を設定して撮像部に撮像を行わせると共に、画像補正部は、輝度変化検出部の検出する輝度変化量に基づいてデジタル画像データを補正して画像表示部に表示させる。
【発明の効果】
【０００８】
本発明によれば、スルー画を表示しているときに撮影動作のためにコントラストＡＦ動作の開始により露出モードが切り替わった場合でも、被写体等をスルー表示する表示画面の輝度変化を抑制し、コントラストＡＦ時のスルー画の見栄え、視認性の低下を防止し、コントラストＡＦ時でも高品位なスルー画を表示できる高価格化や複雑化を招くことがない撮像装置を提供できる。
【発明を実施するための最良の形態】
【０００９】
以下、本発明の第１の実施の形態について図面を参照して説明する。  
図１は撮像装置としてのデジタル一眼レフレックスカメラの機能ブロック図を示す。このデジタル一眼レフレックスカメラは、本体１と交換レンズ２とから成る。これら本体１と交換レンズ２とは、互いに取り付け、取り外し可能である。  
交換レンズ２には、レンズ側システムコントローラ３が搭載されている。このレンズ側システムコントローラ３には、レンズ駆動部４と、絞り駆動部５と、レンズ側通信制御部６とが接続されている。又、交換レンズ２は、レンズ７と絞り８とを備える。これらレンズ７と絞り８とは、同一光軸上に配置される。
【００１０】
レンズ７は、フォーカスレンズとズームレンズとから構成される。このレンズ７は、レンズ駆動部４により制御駆動される。このレンズ駆動部４は、モータとモータドライバとから構成され、本体１側のＡＦ処理部２０によって出力されるフォーカス位置データに基づいて駆動される。  
絞り８は、絞り駆動部５により制御駆動される。この絞り駆動部５は、モータとモータドライバとから構成され、本体１側のＡＥ処理部１９によって出力される絞り値データに基づいて絞り８の径を制御する。  
なお、レンズ７及び絞り８の駆動に関しては、当該デジタル一眼レフレックスカメラのボディ１と交換レンズ２との間でデータ通信を行ってレンズ７や絞り８が駆動される。
【００１１】
レンズ側通信制御部６は、本体１との間でデータの送受信を行う。レンズ側システムコントローラ３は、レンズ駆動部４と、絞り駆動部５と、レンズ側通信制御部６とをそれぞれ制御する。
【００１２】
本体１には、ボディ側システムコントローラ１０が搭載されている。このボディ側システムコントローラ１０には、ストロボ制御部１１と、メカニカルシャッター（メカシャッター）駆動部１２と、撮像素子駆動部１３と、入力制御部１４と、ユーザーインターフェイス（ＵＩ）制御部１５と、ボディ側通信制御部１６とが接続されている。又、ボディ側システムコントローラ１０には、システムバス１７を介してメモリ１８と、ＡＥ処理部１９と、ＡＦ処理部２０と、画像処理部２１と、圧縮伸縮部２２と、表示制御部２３と、記録媒体制御部２４とが接続されている。  
又、本体１は、ストロボ２５と、メカニカルシャッター２６と、撮像素子２７と、液晶ディスプレイ（ＬＣＤ）２８と、ＥＶＦ２９と、記録媒体３０と、測光センサ３１と、測距センサ３２と、シャッタボタン等を有する操作ボタン群３３とを備える。さらに、本体１における撮像素子２７の出力端子は、相関２重サンプリング回路（ＣＤＳ）３４と、ＡＭＰ３５と、Ａ／Ｄ変換器３６とを介してシステムバス１７に接続されている。
【００１３】
ストロボ２５は、発光動作するもので、ストロボ制御部１１により動作制御される。  
メカシャッター２６は、モータとモータドライバとから構成されるメカシャッター駆動部１２によって駆動される。このメカシャッター駆動部１２は、ＵＩ制御部１５からの操作ボタン群３３のシャッタボタンの押下信号のタイミングに合わせてＡＥ処理部１９から出力されるシャッター速度データに応じてメカシャッター２６の開閉を制御する。ここで、ＵＩ制御部１５は、利用者によって当該カメラを操作するユーザーインターフェイスからの入力情報を受けて制御する。このＵＩ制御部１５は、例えばシャッタボタン等の各種ボタンから成るユーザーインターフェイスからの入力情報を受けて、この入力情報をボディ側システムコントローラ１０に伝達し当該カメラの動作を制御する。
【００１４】
撮像素子２７は、多数の受光素子をマトリクス状に配置して成る光電面を有する。この撮像素子２７は、レンズ７により結像された被写体像を光電面で受光し、この被写体像を光電変換する。この撮像素子２７は、ＲＧＢの各色の色フィルタをマトリクス状に配置された各受光素子に対応してモザイク状に配置している。この撮像素子２７は、撮像素子駆動部１３から供給される垂直転送クロック信号及び水平転送クロック信号に同期して各受光素子に対応する各画素毎に蓄積される各電荷を読み出して画像信号として出力する。各画素における電荷の露光時間は、撮像素子駆動部１３から与えられる電子シャッター駆動信号によって制御される。この撮像素子２７から出力される画像信号は、ＣＤＳ３４によりノイズの除去が行われ、ゲイン調整された後、ＡＭＰ３５により増幅され、Ａ／Ｄ変換器３６によってデジタル画像データに変換される。
【００１５】
メモリ１８は、例えば、Ａ／Ｄ変換器３６によるＡ／Ｄ変換によって取得されたデジタル画像データを一時的に書き込む作業用のメモリである。  
ＡＥ処理部１９は、メモリ１８に保存されたデジタル画像データを読み出し、このデジタル画像データから被写体の輝度を算出し、メカシャッター２６のシャッター速度データや絞り８の絞り値データ、感度等の露出条件を決定する。これと共に、ＡＥ処理部１９は、メモリ１８から読み出したデジタル画像データのホワイトバランスを調整する。  
このＡＥ処理部１９から出力される絞り値データは、ボディ側システムコントローラ１０により通信上のコマンドに変換されてボディ側通信制御部１６に送られる。このボディ側通信制御部１６は、絞り値データのコマンドを通信路３７を通してレンズ側通信制御部６に送る。レンズ側システムコントローラ３は、ボディ側システムコントローラ１０からの絞り値データのコマンドを受け取り、このコマンドに従って絞り駆動部５を駆動制御して絞り８の径を可変させる。
【００１６】
ＡＦ処理部２０は、メモリ１８に書き込まれたデジタル画像データを読み出し、ＵＩ制御部１５によって設定されたエリア情報を用いてデジタル画像データからフォーカス位置を決定する。すなわち、ＡＦ処理部２０は、ユーザによってユーザーインターフェイス３３のシャッタボタンが押下操作（撮影指示）されると、この撮影指示をＵＩ制御部１５を通して受け取り、この撮影指示に従って連続的にメモリ１８に書き込まれた画像データを処理することによりレンズ７を駆動するためのフォーカス位置データを演算して求める。
【００１７】
このＡＦ処理部２０から出力されるフォーカス位置データは、ボディ側システムコントローラ１０により通信上のコマンドに変換されてボディ側通信制御部１６に送られる。このボディ側通信制御部１６は、フォーカス位置データのコマンドを通信路３７を通してレンズ側通信制御部６に送る。レンズ側システムコントローラ３は、ボディ側システムコントローラ１０からのフォーカス位置データのコマンドを受け取り、このコマンドに従ってレンズ駆動部４を駆動制御してレンズ７の位置を移動させる。
【００１８】
画像処理部２１は、メモリ１８に書き込まれたデジタル画像データに対してカラー化等の処理を行う。撮像素子２７は、単板の撮像素子であるので、メモリ１８に書き込まれたデジタル画像データに対してカラー化の処理が必要である。しかるに、画像処理部２１は、デジタル画像データに対して補間演算を行うことにより輝度信号、色差信号を生成してカラー画像データを生成し、さらにガンマ補正、コントラスト強度の補正、輪郭強調等の処理を行う。
【００１９】
圧縮伸張部２２は、画像処理部２１によって処理されたデジタル画像データに対して例えばＪＰＥＧ等の圧縮形式を用いて圧縮処理を行って画像ファイルを生成する。この画像ファイルは、例えば、記録媒体制御部２４によって制御される記録媒体３０に書き込まれる。又、圧縮伸張部２２は、再生モードにおいて、記録媒体３０に書き込まれている画像ファイルを読み出して伸張処理を行い、この伸張処理後の画像データを表示制御部２３に送る。
【００２０】
表示制御部２３は、ＬＣＤ２８又はＥＶＦ２９を駆動制御して画像データを表示するもので、メモリ１８に書き込まれている画像データをスルー画としてＬＣＤ２８又はＥＶＦ２９に表示するときに、画像データをＬＣＤ２８又はＥＶＦ２９で表示可能なフォーマットに変換する。ＵＩ制御部１５の設定によりスルー画表示モードが選択されていると、表示制御部２３は、メモリ１８に所定間隔で更新される画像データを逐次スルー画としてＬＣＤ２８又はＥＶＦ２９に表示する。このとき、フォーカスモードは、コントラストＡＦに設定され、フォーカスモードの変更は動作中にない。
【００２１】
ボディ側システムコントローラ１０は、本デジタル一眼レフレックスカメラの一連の撮像動作の制御を行うもので、ストロボ制御部１１やメカシャッター駆動部１２、撮像素子駆動部１３の動作タイミングの制御を行い、ＵＩ制御部１５からのユーザーインターフェイス３３のシャッタボタンの押下操作（撮影指示）のタイミングに応じて、ストロボ２５の発光やメカシャッター２６の開閉、撮像素子２７からの電荷読み出しの制御を行い、ＣＤＳ３４、ＡＭＰ３５、Ａ／Ｄ変換器３６を動作制御してデジタル画像データをメモリ１８に書き込む。  
又、ボディ側システムコントローラ１０は、ユーザーインターフェイス３３に対するユーザの操作をＵＩ制御部１５を通して受け取り、ユーザーインターフェイス３３に対するユーザの操作によってスルー画表示モードが選択されると、スルー画をＬＣＤ２８又はＥＶＦ２９に表示するための制御を行う。又、ボディ側システムコントローラ１０は、ユーザーインターフェイス３３のシャッタボタンに対して半押しすると、スルー画表示モードからコントラストＡＦモードに移行する。ボディ側システムコントローラ１０は、ユーザーインターフェイス３３のシャッタボタンに対して全押しすると、本撮影を行うための制御を行う。
【００２２】
又、ボディ側システムコントローラ１０は、スルー画表示モードからコントラストＡＦモードに移行したときのコントラストＡＦ用のデジタル画像データの輝度を補正するための輝度補正量を演算し求めてコントラストＡＦ用のデジタル画像データに対する補正を行うもので、輝度変化検出部１０−１と画像補正部１０−２とを有する。なお、輝度変化検出部１０−１と画像補正部１０−２とは、ボディ側システムコントローラ１０内に有する機能であるが、図１においては分かり易くするためにボディ側システムコントローラ１０外に示してある。  
輝度変化検出部１０−１は、スルー画表示モードからコントラストＡＦモードに移行したときに、メモリ１８に書き込まれているスルー画表示時のデジタル画像データとコントラストＡＦ用のデジタル画像データと差分からスルー画表示モードからコントラストＡＦモードに移行したときの露出条件の変化に伴う輝度変化量を検出する。この場合、輝度変化検出部１０−１は、デジタル画像データより撮影画面の輝度分布パターンを検出し、この輝度パターンに基づいて輝度変化量を検出する。  
画像補正部１０−２は、輝度変化検出部１０−１により検出された輝度変化量に基づいてＬＣＤ２８又はＥＶＦ２９に表示するコントラストＡＦ用のデジタル画像データを補正する。
【００２３】
次に、上記の如く構成されたカメラの動作について図２に示すスルー画表示モードとコントラストＡＦモードとの露出制御を示すフローチャートに従って説明する。  
ユーザによってスルー画表示モードが選択されると、このスルー画表示モードがＵＩ制御部１５を通してボディ側システムコントローラ１０に送られる。このボディ側システムコントローラ１０は、スルー画をＬＣＤ２８又はＥＶＦ２９に表示するための動作を開始する。スルー画の表示動作を開始すると、本デジタル一眼レフレックスカメラは、撮影可能な状態になる。
【００２４】
しかるに、撮像素子２７は、レンズ７により結像された被写体像を光電面で受光し、この被写体像を光電変換し、画像信号として出力する。この撮像素子２７から出力される画像信号は、ＣＤＳ３４によりノイズの除去が行われ、ゲイン調整された後、ＡＭＰ３５により増幅され、Ａ／Ｄ変換器３６によってデジタル画像データに変換される。このデジタル画像データは、メモリ１８に一時的に書き込まれる。
【００２５】
次に、スルー画表示の動作が開始されると、ボディ側システムコントローラ１０は、ステップＳ１において、スルー画表示用の露出を設定する。このスルー画表示用の露出設定において、ＡＥ処理部１９は、メモリ１８に保存されたデジタル画像データを読み出し、このデジタル画像データから被写体の輝度を算出し、スルー画表示用露出制御値になるように撮像素子２７に設定する電子シャッター速度や絞り８の絞り値データ、感度等の露出条件を決定する。又、ＡＦ処理部２０は、メモリ１８に書き込まれたデジタル画像データを読み出し、ＵＩ制御部１５によって設定されたエリア情報を用いてデジタル画像データからフォーカス位置を決定する。
【００２６】
ボディ側システムコントローラ１０は、撮像素子２７に設定する電子シャッター速度データを撮像素子駆動部１３に送ると共に、絞り８の絞り値データとフォーカス位置データとをボディ側通信制御部１６から通信路３７を通してレンズ側通信制御部６に送る。レンズ側システムコントローラ３は、ボディ側システムコントローラ１０からの絞り値データのコマンドを受け取り、このコマンドに従って絞り駆動部５を駆動制御して絞り８の径を可変させる。これと共に、レンズ側システムコントローラ３は、ボディ側システムコントローラ１０からのフォーカス位置データのコマンドを受け取り、このコマンドに従ってレンズ駆動部４を駆動制御してレンズ７の位置を移動させる。
【００２７】
しかるに、決定された露出条件のレンズ７のフォーカス位置と絞り８の径と撮像素子２７の電子シャッター速度との設定で、撮像素子２７は、ステップＳ２において、レンズ７により結像された被写体像を光電面で受光し、この被写体像を光電変換し、画像信号として出力する。この撮像素子２７から出力される画像信号は、ＣＤＳ３４によりノイズの除去が行われ、ゲイン調整された後、ＡＭＰ３５により増幅され、Ａ／Ｄ変換器３６によってデジタル画像データに変換される。このデジタル画像データは、メモリ１８に一時的に書き込まれる。
【００２８】
次に、画像処理部２１は、ステップＳ３において、メモリ１８に書き込まれたデジタル画像データに対して補間演算を行うことにより輝度信号、色差信号を生成してカラー画像データを生成し、さらにガンマ補正、コントラスト補正、輪郭強調等の処理を行う。  
次に、表示制御部２３は、ステップＳ５において、メモリ１８に所定間隔で更新して書き込まれるデジタル画像データをＬＣＤ２８又はＥＶＦ２９で表示可能なフォーマットに逐次変換し、ＬＣＤ２８又はＥＶＦ２９にスルー画として表示する。
【００２９】
このスルー画の表示と並行して、ＡＥ処理部１９は、ステップＳ４において、メモリ１８に保存されるスルー画用のデジタル画像データを読み出し、このデジタル画像データからスルー画表示時使用される被写体輝度値Ｂｖと本撮影用の露出条件とを取得するための被写体輝度値を算出する。さらに、ＡＥ処理部１９は、被写体輝度値Ｂｖと予め決められたプログラム線図とに従ってスルー画表示用の露出制御値と本撮影用露出制御値とを算出する。これらスルー画表示用露出制御値と本撮影用露出制御値とは、それぞれ一時的にメモリ１８に格納される。これにより、スルー画用露出制御値と本撮影用露出制御値とは、被写体の輝度値が反映された適切な露出条件としてメモリ１８に保存される。このうちスルー画用露出制御値は、スルー画用のデジタル画像データを取得する際における露出制御に逐次反映される。  
なお、ＡＥ処理部１９によりスルー画表示用露出制御値と本撮影用露出制御値とを算出するのは、ステップＳ４に限らず、スルー画をＬＣＤ２８又はＥＶＦ２９に表示しているときであれば、どの時点でもよい。
【００３０】
次に、ボディ側システムコントローラ１０は、ステップＳ６において、ＵＩ制御部１５を通してユーザーインターフェイス３３のシャッタボタンが半押しされてコントラストＡＦモードに切り替わったか否かを判断する。この判断の結果、ユーザーインターフェイス３３のシャッタボタンが半押しされていなければ、ボディ側システムコントローラ１０は、ステップＳ７に移り、スルー画表示を終了するか否かを判断する。この判断の結果、スルー画表示を終了しなければ、ボディ側システムコントローラ１０は、ステップＳ１に戻ってスルー画表示を継続する。スルー画の表示は、スルー画表示の終了が選択されるまで継続される。
【００３１】
このようにスルー画を表示している状態で、ユーザによりユーザーインターフェイス３３のシャッタボタンが半押しされると、ボディ側システムコントローラ１０は、ステップＳ６において、スルー画表示モードからコントラストＡＦモードに移行する。  
先ず、ボディ側システムコントローラ１０は、ステップＳ１０において、コントラストＡＦ用の露出演算のための露出設定を行う。このコントラストＡＦ用の露出設定は、上記スルー画表示用の露出設定を用いる。又、ユーザによって撮影モードがマニュアルに設定していた場合又はスルー画の露出補正を行っている場合には、露出演算に用いる画像が適切に撮影できないので、露出条件の設定をやり直す。すなわち、ＡＥ処理部１９は、スルー画表示時に、メモリ１８に書き込まれたデジタル画像データを読み出し、このデジタル画像データから被写体の輝度を算出し、スルー画表示用露出制御値になるように撮像素子２７に設定する電子シャッターの速度、感度、絞り８の絞り値データの露出条件を決定する。又、ＡＦ処理部２０は、メモリ１８に書き込まれたデジタル画像データを読み出し、ＵＩ制御部１５によって設定されたエリア情報を用いてデジタル画像データからフォーカス位置を決定する。
【００３２】
ボディ側システムコントローラ１０は、撮像素子２７の電子シャッター速度と感度とのデータを撮像素子駆動部１３に送ると共に、絞り８の絞り値データとフォーカス位置データとをボディ側通信制御部１６から通信路３７を通してレンズ側通信制御部６に送る。これにより、レンズ側システムコントローラ３は、フォーカス位置データに従ってレンズ駆動部４を駆動制御してレンズ７の位置を移動させると共に、絞り値データに従って絞り駆動部５を駆動制御して絞り８の径を可変させる。
【００３３】
しかるに、決定された露出条件のレンズ７のフォーカス位置と絞り８の径と撮像素子２７の電子シャッター速度、感度の設定で、撮像素子２７は、ステップＳ１１において、レンズ７により結像された被写体像を光電面で受光し、この被写体像を光電変換し、画像信号として出力する。この撮像素子２７から出力される画像信号は、ＣＤＳ３４によりノイズの除去が行われ、ゲイン調整された後、ＡＭＰ３５により増幅され、Ａ／Ｄ変換器３６によってデジタル画像データに変換される。このデジタル画像データは、コントラストＡＦ露出演算用データとしてメモリ１８に一時的に書き込まれる。
【００３４】
次に、ＡＥ処理部１９は、ステップＳ１２において、メモリ１８に保存されるコントラストＡＦ露出演算用のデジタル画像データを読み出し、このデジタル画像データから被写体輝度値Ｂｖを算出し、さらに、被写体輝度値Ｂｖと予め決められたプログラム線図と制御テーブルとに従ってコントラストＡＦ用の露出制御値を算出する。このコントラストＡＦ用の露出制御値は、コントラストＡＦ露出演算用のデジタル画像データを取得する際における露出制御に逐次反映される。そして、このコントラストＡＦ用の露出制御値は、メモリ１８に一時的に書き込まれる。
【００３５】
次に、ボディ側システムコントローラ１０は、ステップＳ１３において、メモリ１８に一時的に書き込まれたコントラストＡＦ用の露出制御値を撮像素子駆動部１３に送ると共に、ボディ側通信制御部１６から通信路３７を通してレンズ側通信制御部６に送る。これにより、レンズ側システムコントローラ３は、コントラストＡＦ用の露出制御値に従って絞り駆動部５を駆動制御して絞り８の径を可変させる。これにより、コントラストＡＦ用の露出設定が行われる。
【００３６】
次に、コントラストＡＦ用の露出設定の下、ボディ側システムコントローラ１０は、ステップＳ１４において、被写体の撮像動作を行う。すなわち、撮像素子２７は、レンズ７により結像された被写体像を撮像してその画像信号を出力する。この撮像素子２７から出力される画像信号は、ＣＤＳ３４によりノイズ除去され、ゲイン調整された後、ＡＭＰ３５により増幅され、Ａ／Ｄ変換器３６によりコントラストＡＦ用のデジタル画像データに変換されてメモリ１８に一時的に書き込まれる。
【００３７】
次に、ＡＦ処理部２０は、メモリ１８に書き込まれたコントラストＡＦ用のデジタル画像データを読み出し、ＵＩ制御部１５によって設定されたエリア情報を用いてコントラストＡＦ用のデジタル画像データからフォーカス位置を決定する。  
次に、ボディ側システムコントローラ１０は、ステップＳ１５において、輝度変化検出部１０−１と画像補正部１０−２とに指令を発し、スルー画表示モードからコントラストＡＦモードに移行したときのコントラストＡＦ用のデジタル画像データの輝度を補正するための輝度補正量を演算し求める。すなわち、輝度変化検出部１０−１は、スルー画表示モードからコントラストＡＦモードに移行したときに、メモリ１８に書き込まれているスルー画表示時のデジタル画像データとコントラストＡＦ用のデジタル画像データと差分からスルー画表示モードからコントラストＡＦモードに移行したときの露出条件の変化に伴う輝度変化量を検出する。この場合、輝度変化検出部１０−１は、デジタル画像データより撮影画面の輝度分布パターンを検出し、この輝度パターンに基づいて輝度変化量を検出する。  
次に、画像補正部１０−２は、輝度変化検出部１０−１により検出された輝度変化量に基づいてＬＣＤ２８又はＥＶＦ２９に表示するコントラストＡＦ用のデジタル画像データを補正する。
【００３８】
ここで、コントラストＡＦ用のデジタル画像データの補正の動作について具体的に説明する。  
図３はスルー画表示モードからコントラストＡＦモードに移行したときの輝度変化量の検出処理を説明するための図である。撮像素子２７の画素数は、例えば水平方向にｘ画素、垂直方向にｙ画素で、全画素数ｘ×ｙを有する。通常、スルー画表示時とコントラストＡＦモード動作時とにおいて撮像素子２７の撮像により取得されるデジタル画像データの画素数は、それぞれ垂直方向に画素数ｙ／ｎ、水平方向に画素数ｘ／ｎに縮小して縮小画像データＤＳを取得する。ここに、ｎは、撮像素子２７とＬＣＤ２８、ＥＶＦ２９との比率の少ない画素数になる。このとき、画像データの縮小処理は、例えば間引き、画素加算等により行われる。
【００３９】
ＡＥ処理部１９は、図３におけるＡＥ処理領域に示すように、縮小画像データＤＳを予め設定された大きさの領域を単位として複数に分割し、これら分割された複数の領域毎の平均の輝度値を算出する。例えばＡＥ処理部１９は、縮小画像データＤＳをｘ，ｙ方向に対して互いに垂直な格子状の複数の領域、例えば７×７の複数の領域に分割し、これら領域毎の各平均輝度値Ｂｖ０〜Ｂｖ４８を算出する。図４（ａ）はＡＥ処理部１９により算出されたスルー画表示時の複数の平均輝度値Ｂｖ０〜Ｂｖ４８の輝度分布の一例を示し、図４（ｂ）はコントラストＡＦモード時の各エリアの平均輝度値Ｂｖ０〜Ｂｖ４８の輝度部分の一例を示す。
【００４０】
なお、ＡＦ処理部２０は、図３におけるＡＦ処理領域に示すように、縮小画像データＤＳを予め設定された大きさの領域を単位として複数領域に分割し、これら分割された複数の領域毎のＡＦ評価値Ｈａ〜Ｈｋを算出する。上記ＡＦ評価値Ｈａ〜Ｈｋに基づいてコントラストＡＦを実行する。
【００４１】
一方、図４（ａ）（ｂ）に示すようにスルー画表示時の輝度分布とコントラストＡＦモード時の輝度分布とを比較すると、コントラストＡＦモード時の輝度分布の方がスルー画表示時の輝度分布よりも全体的に大きな平均輝度値Ｂｖの輝度分布になっている。このようなコントラストＡＦモード時の輝度分布であれば、コントラストＡＦモード動作時に取得されるデジタル画像データをＬＣＤ２８又はＥＶＦ２９に表示すると、当該ＬＣＤ２８又はＥＶＦ２９に表示される画像は、スルー画表示時にＬＣＤ２８又はＥＶＦ２９に表示される画像よりも明るく飛んだ画像になる。このため、コントラストＡＦモード動作時に取得されるデジタル画像データに対して補正が必要になる。
【００４２】
しかるに、輝度変化検出部１０−１は、スルー画表示モードからコントラストＡＦモードに移行したときに、図４（ａ）に示すスルー画表示時の複数の平均輝度値の輝度分布と同図（ｂ）に示すコントラストＡＦモード時における複数の平均輝度値の輝度分布との差分を算出する。これにより、スルー画表示モードからコントラストＡＦモードに移行したときの露出条件の変化に伴う輝度変化量が算出される。ここで、当該輝度変化量すなわちスルー画表示時の輝度分布とコントラストＡＦモード時の輝度分布との差分が大きい程、ＬＣＤ２８又はＥＶＦ２９に表示されるデジタル画像データに対する補正量が大きくなる。これに対して当該差分が小さくてその輝度変化量が「０」に近い場合、補正量は小さくなる。
【００４３】
図５（ａ）（ｂ）（ｃ）は当該デジタル画像データに対する補正時の入出力の関係を示す。デジタル画像データに対する補正は、例えば３つのパターンに分類される。第１のパターンは、スルー画表示時の複数の平均輝度値の輝度分布とコントラストＡＦモード時における複数の平均輝度値の輝度分布との差分である輝度変化量が小さい場合で、適正露出時である。この適正露出時におけるデジタル画像データに対する補正の入力データ出力特性は、図５（ａ）に示すように入力信号と出力信号とで等しく、スルー画表示時とコントラストＡＦモード時とで変わらないγカーブを示す。
【００４４】
第２のパターンは、スルー画表示時の輝度分布とコントラストＡＦモード時の輝度分布との差分である輝度変化量が負の値になる場合で、スルー画表示時とコントラストＡＦモード時とでコントラストＡＦモード時の輝度が小さくなった露出アンダー時である。この露出アンダー時におけるデジタル画像データに対する補正の入力データ出力特性は、図５（ｂ）に示すように入力信号が大きくなるに従って出力信号の大きくなる率を小さくするもので、スルー画表示時とコントラストＡＦモード時とで画像を明るくするγカーブを示す。なお、この補正の入力データ出力特性は、γカーブの立ち上がり方の輝度変化量が大きい。
【００４５】
第３のパターンは、スルー画表示時の輝度分布とコントラストＡＦモード時の輝度分布との差分である輝度変化量が正の値になる場合で、スルー画表示時とコントラストＡＦ時とでコントラストＡＦモード時の輝度が明るくなった露出オーバー時である。この露出オーバー時におけるデジタル画像データに対する補正の入力データ出力特性は、図５（ｃ）に示すように入力信号が大きくなるに従って出力信号の大きくなる率を大きくするもので、スルー画表示時とコントラストＡＦ時では画像が暗くなるγカーブを示す。なお、この補正の入力データ出力特性は、γカーブの立ち上がり方の輝度変化量が小さい。
【００４６】
従って、輝度変化検出部１０−１により算出されたスルー画表示時とコントラストＡＦモード時動作時との差分である輝度変化量が小さい適正露出時の第１のパターンであれば、画像補正部１０−２は、図５（ａ）に示すようなスルー画表示時とコントラストＡＦモード時とで変わらない入力データ出力特性を有するγカーブに従ってデジタル画像データに対する補正を行う。  
輝度変化検出部１０−１により算出されたスルー画表示時とコントラストＡＦモード時動作時との差分である輝度変化量が負の値になる露出アンダー時の第２のパターンであれば、画像補正部１０−２は、図５（ｂ）に示すようなスルー画表示時よりもコントラストＡＦモード時の画像を明るくする入力データ出力特性を有するγカーブに従ってデジタル画像データに対する補正を行う。  
輝度変化検出部１０−１により算出されたスルー画表示時とコントラストＡＦモード時動作時との差分である輝度変化量が正の値になる露出オーバー時の第３のパターンであれば、画像補正部１０−２は、図５（ｃ）に示すようなスルー画表示時よりもコントラストＡＦ時の画像を暗くする入力データ出力特性を有するγカーブに従ってデジタル画像データに対する補正を行う。補正方法は、γカーブを変化させる方法の他、テーブルを用いて行ってもよい。又、図１に示す画像補正部１０−２は、表示制御部２３の中にその補正機能を組み込んでもよい。
【００４７】
図６はスルー画表示とコントラストＡＦモードとの切り替え動作タイミングを示す。表示フレームタイミングは、フレーム間隔ｔｖで１フレームの画像を表示することを示す。スルー画／コントラストＡＦは、スルー画表示又はコントラストＡＦモードのいずれかであるのかを示し、ローレベルの期間においてスルー画表示を示し、ハイレベルの期間においてコントラストＡＦモードを示す。露出設定は、ハイレベルの期間において露出設定にかかる時間を示す。露光は、ハイレベルの期間において露光に要する時間を示す。読出は、ハイレベルの期間において読み出しに要する時間を示す。表示画像生成は、ハイレベルの期間において表示画像生成にかかる時間を示す。  
補正量検出／表示画像補正は、コントラストＡＦモード時のみに動作するもので、ハイレベルの期間において補正量の算出とデジタル画像データに対する補正に要する時間を示す。補正表示画像は、ハイレベルの期間において補正されたデジタル画像データがＬＣＤ２８又はＥＶＦ２９に表示されることを示す。
【００４８】
従って、スルー画／コントラストＡＦがハイレベルになってコントラストＡＦモードに切り替わると、上記説明の通り、輝度変化検出部１０−１は、補正量検出／表示画像補正のハイレベル期間中に、スルー画表示時のデジタル画像データとコントラストＡＦ用のデジタル画像データと差分からスルー画表示モードからコントラストＡＦモードに移行したときの露出条件の変化に伴う輝度変化量を検出する。次に、画像補正部１０−２は、輝度変化検出部１０−１により検出された輝度変化量に基づいてＬＣＤ２８又はＥＶＦ２９に表示するコントラストＡＦ用のデジタル画像データを補正する。
【００４９】
このように表示フレームのタイミングに対して上記表示フレームタイミングと、スルー画／コントラストＡＦと、露出設定と、読出と、表示画像生成と、補正量検出／表示画像補正との各処理を行う。すなわち、適正露出時であれば、図５（ａ）に示すようなスルー画表示時とコントラストＡＦモード時とで変わらないγカーブに従ってデジタル画像データに対する補正を行う。露出アンダー時あれば、図５（ｂ）に示すようなスルー画表示時よりもコントラストＡＦモード時の画像を明るくするγカーブに従ってデジタル画像データに対する補正を行う。露出オーバー時であれば、図５（ｃ）に示すようなスルー画表示時よりもコントラストＡＦ時の画像を暗くするγカーブに従ってデジタル画像データに対する補正を行う。これにより、スルー画表示とコントラストＡＦモードとの切り替えが行われてもＬＣＤ２８又はＥＶＦ２９に表示されている画像の明るさに変動はない。
【００５０】
しかるに、画像処理部２１の画像補正部１０−２は、ステップＳ１６において、輝度変化検出部１０−１により検出された輝度変化量に基づいてＬＣＤ２８又はＥＶＦ２９に表示するコントラストＡＦ用のデジタル画像データを補正する。このとき、コントラストＡＦ用のデジタル画像データに対する補正の効果は、ＬＣＤ２８又はＥＶＦ２９に表示するスルー画のみ反映され、フォーカス位置検出の処理に影響しない。  
次に、画像処理部２１は、ステップＳ１７において、補正量によって補正されたコントラストＡＦ用のデジタル画像データを表示制御部２３に送る。これにより、表示制御部２３は、補正されたコントラストＡＦ用のデジタル画像データをＬＣＤ２８又はＥＶＦ２９に表示する。
【００５１】
次に、ボディ側システムコントローラ１０は、ステップＳ１８において、ＵＩ制御部１５を通してユーザーインターフェイス３３からコントラストＡＦモードの終了の指示を受けたか否かを判断する。この判断の結果、ユーザーインターフェイス３３からコントラストＡＦモードの終了の指示を受けなければ、ボディ側システムコントローラ１０は、ステップＳ１０に戻り、補正されたコントラストＡＦ用のデジタル画像データのＬＣＤ２８又はＥＶＦ２９への表示を継続する。ユーザーインターフェイス３３からコントラストＡＦモードの終了の指示を受けると、ボディ側システムコントローラ１０は、ステップＳ１に戻り、コントラストＡＦモードからスルー画表示モードに切り替わる。
【００５２】
このように上記第１の実施の形態によれば、スルー画表示モードからコントラストＡＦモードに移行したときに、スルー画表示時のデジタル画像データとコントラストＡＦ用のデジタル画像データとの差分である輝度変化量を求め、この輝度変化量に基づいてＬＣＤ２８又はＥＶＦ２９に表示するコントラストＡＦ用のデジタル画像データを補正する。これにより、スルー画を表示しているときに撮影動作のためにコントラストＡＦ動作の開始によりコントラストＡＦモードに切り替わっても、ＬＣＤ２８又はＥＶＦ２９に表示されるコントラストＡＦ用のデジタル画像データの明るさは、スルー画表示の画像の明るさと比較して変動することがない。しかるに、コントラストＡＦモード時の被写体等をスルー表示する表示画面の輝度変化を抑制でき、コントラストＡＦ時のスルー画の見栄え、視認性の低下を防止し、コントラストＡＦ時でも高品位なスルー画を表示できる。そして、スルー画表示時のデジタル画像データとコントラストＡＦ用のデジタル画像データとの差分である輝度変化量に基づいてコントラストＡＦ用のデジタル画像データを補正するだけなので、別途ユニット等を設ける必要がなく、高価格化や複雑化を招くことがない。
【００５３】
次に、本発明の第２の実施の形態について図面を参照して説明する。  
第２の実施の形態は、上記第１の実施の形態に比べて輝度変化検出の方法が相違する。すなわち、輝度変化検出部１０−１は、スルー画表示モードからコントラストＡＦモードに移行したときに、所定の露出条件算出式に基づいてスルー画表示時の適正露出とコントラストＡＦモードの露出との乖離量を検出し、当該乖離量に基づいて輝度変化量を検出する。
【００５４】
この乖離量が小さくて露出が適正状態であれば、画像補正部１０−２は、デジタル画像データに対する補正を行わない。  
乖離量が負の値で露出アンダーであれば、画像補正部１０−２は、上記図５（ｂ）に示すようにスルー画表示時よりもコントラストＡＦモード時の画像を明るくする入力データ出力特性を有するγカーブに従ってデジタル画像データを補正する。  
乖離量が正の値で露出オーバーであれば、画像補正部１０−２は、上記図５（ｃ）に示すようにスルー画表示時よりもコントラストＡＦ時の画像を暗くする入力データ出力特性を有するγカーブに従ってデジタル画像データを補正する。
【００５５】
図７はスルー画表示時のプログラム線図を示す。同図においてＳｖは被写体の輝度値Ｂｖに対する撮像素子２７に設定される感度を示し、Ｔｖはシャッター速度を示し、Ａｖは絞り値を示す。  
スルー画表示時は通常、適正露出になっているので、感度Ｓｖと輝度値Ｂｖとシャッター速度Ｔｖと絞り値Ａｖとは、  
Ｂｖ＋Ｓｖ＝Ｔｖ＋Ａｖ                …（１）
の関係が成り立つ。
【００５６】
一方、コントラストＡＦモードでは、スルー画表示のＰ線図を使用するが特定の被写体の輝度値の範囲では、固定のシャッター速度を使用するように制御する。  
【表１】
2010068046.tif 000003
【００５７】
表1はコントラストＡＦモードにおける被写体の輝度とシャッター速度との関係を示す。被写体輝度Ｂｖが「Ｂｖ≧６」の場合と「Ｂｖ＜０」の場合とにはプログラム線図通りに動作する。
【００５８】
被写体輝度Ｂｖが「６＞Ｂｖ≧３」の場合にはシャッター速を例えば１／１００に設定し、被写体輝度Ｂｖが「３＞Ｂｖ≧０」の場合にはシャッター速度を１／５０に設定する。このとき、被写体輝度Ｂｖが「６＞Ｂｖ≧０」の場合にシャッター速度が固定されるので、プログラム線図から外れた制御になり、感度Ｓｖと輝度値Ｂｖとシャッター速度Ｔｖと絞り値Ａｖとは、  
Ｂｖ＋Ｓｖ≠Ｔｖ＋Ａｖ              …（２）  
の関係となり、スルー画としては不適正な露出になる。このため、ＬＣＤ２８又はＥＶＦ２９に表示される画像は、例えば図８（ａ）（ｂ）（ｃ）に示すようにオーバーになったりアンダーになったりする。
【００５９】
しかるに、同一被写体輝度におけるスルー画表示モードのシャッター速度をＴｖ１、コントラストＡＦモードのシャッター速度をＴｖ２とすると、適正露出から乖離量は、
ΔＴｖ＝Ｔｖ１−Ｔｖ２              …（３）  
を演算することにより求められる。
【００６０】
乖離量ΔＴｖが「０」の場合には露出が適正状態となり、補正は行われない。  
一方、乖離量ΔＴｖ＞０の場合は、露出オーバーになるので、上記第１の実施形態の露出オーバーの場合と同様に補正処理を行う。すなわち、露出オーバー時であれば、上記図５（ｃ）に示すようなスルー画表示時よりもコントラストＡＦ時の画像を暗くするγカーブに従ってデジタル画像データに対する補正を行う。  
乖離量ΔＴｖ＜０の場合は、露出アンダーになるので、上記第１の実施の形態の露出アンダーの場合と同様の補正処理を行うことにより表示画像の輝度変化を抑制する。すなわち、露出アンダー時あれば、上記図５（ｂ）に示すようなスルー画表示時よりもコントラストＡＦモード時の画像を明るくするγカーブに従ってデジタル画像データに対する補正を行う。
【００６１】
しかるに、スルー画表示とコントラストＡＦモードとの切り替えが行われてもＬＣＤ２８又はＥＶＦ２９に表示されている画像の明るさに変動はない。
【００６２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６３】
【図１】本発明に係る撮像装置としてのデジタル一眼レフレックスカメラの第１の実施の形態を示す機能ブロック図。
【図２】同装置におけるスルー画表示モードとコントラストＡＦモードとの露出制御を示すフローチャート。
【図３】同装置におけるスルー画表示モードからコントラストＡＦモードに移行したときの輝度変化量の検出処理を説明するための図。
【図４】同装置におけるＡＥ処理部により算出された複数の平均輝度値の分布の一例を示す図。
【図５】同装置におけるスルー画表示時の輝度分布とコントラストＡＦモード時の輝度分布との輝度変化量に応じたデジタル画像データに対する補正時の入出力の関係を示す図。
【図６】同装置におけるスルー画表示とコントラストＡＦモードとの切り替え動作タイミングを示す図。
【図７】本発明に係る撮像装置としてのデジタル一眼レフレックスカメラの第２の実施の形態におけるスルー画表示時のプログラム線図。
【図８】同装置における不適正な露出のスルー画として露出オーバーや露出アンダーの一例を示す図。
【符号の説明】
【００６４】
１：本体、２：交換レンズ、３：レンズ側システムコントローラ、４：レンズ駆動部、５：絞り駆動部、６：レンズ側通信制御部、７：レンズ、８：絞り、１０：ボディ側システムコントローラ、１１：ストロボ制御部、１２：メカニカルシャッター（メカシャッター）駆動部、１３：撮像素子駆動部、１４：入力制御部、１５：ユーザーインターフェイス（ＵＩ）制御部、１６：ボディ側通信制御部、１７：システムバス、１８：メモリ、１９：ＡＥ処理部、２０：ＡＦ処理部、２１：画像処理部、２２：圧縮伸縮部、２３：表示制御部、２４：記録媒体制御部、２５：ストロボ、２６：メカニカルシャッター、２７：撮像素子、２８：液晶ディスプレイ（ＬＣＤ）、２９：ＥＶＦ、３０：記録媒体、３１：測光センサ、３２：測距センサ、３３：操作ボタン群、３４：相関２重サンプリング回路（ＣＤＳ）、３５：ＡＭＰ、３６：Ａ／Ｄ変換器、３７：通信路、１０−１：輝度変化検出部、１０−２：画像補正部。
【図１】
2010068046.tif 000004
【図２】
2010068046.tif 000005
【図３】
2010068046.tif 000006
【図４】
2010068046.tif 000007
【図５】
2010068046.tif 000008
【図６】
2010068046.tif 000009
【図７】
2010068046.tif 000010
【図８】
2010068046.tif 000011